(57)【特許請求の範囲】
【請求項１】
通信システムでＤ２Ｄ（装置対装置；Device-to-Device）通信を実行するための方法であって、前記通信システムは、少なくとも、基地局（ＢＳ）と、前記基地局（ＢＳ）とセルラー通信するユーザー側装置（ＵＥ）と、を備えており、前記Ｄ２Ｄ通信は、Ｄ２Ｄ送信器とＤ２Ｄ受信器との間で実行され、前記セルラー通信に干渉する方法であって、
前記ＢＳと前記ＵＥとの間の前記セルラー通信上の変調及び符号化スキーム（ＭＣＳ）情報を取得することと、
前記Ｄ２Ｄ通信から前記セルラー通信への干渉を低減するように、前記ＭＣＳ情報に基づいて、前記Ｄ２Ｄ通信のための送信出力を決定することと、を含み、
前記ＭＣＳ情報に基づいて、前記Ｄ２Ｄ通信のための送信出力を決定することは、
前記Ｄ２Ｄ通信と前記セルラー通信とで共有される少なくとも１つの共有サブバンドのすべてのための出力制限を、前記ＭＣＳ情報に基づいて取得することと、
前記出力制限に基づいて前記Ｄ２Ｄ通信のための送信出力を決定することと、を含み、
前記セルラー通信は、上りリンク状態にあり、
前記Ｄ２Ｄ通信と前記セルラー通信とで共有される少なくとも１つの共有サブバンドのすべてのための出力制限を、前記ＭＣＳ情報に基づいて取得することは、
前記ＭＣＳ情報に基づいて前記ＵＥから前記ＢＳへのチャネル情報を取得することと、
前記Ｄ２Ｄ送信器から前記ＢＳへのパスロスに基づいて前記Ｄ２Ｄ送信器から前記ＢＳへのチャネル情報を取得することと、
少なくとも１つの共有サブバンドのすべてのための前記出力制限を、前記ＵＥから前記ＢＳへのチャネル情報と、前記Ｄ２Ｄ送信器から前記ＢＳへのチャネル情報と、前記上りリンクの停止確率とに基づいて計算することと、を含む
方法。
【請求項２】
前記ＢＳと前記ＵＥとの間の前記セルラー通信上の前記ＭＣＳ情報を取得することは、前記ＢＳから前記ＵＥへ送信される前記ＭＣＳ情報を取得することを含んでおり、
前記ＭＣＳ情報は、前記ＢＳから前記ＵＥに示される
請求項１に記載の方法。
【請求項３】
前記Ｄ２Ｄ送信器から前記ＢＳへのパスロスに基づいて前記Ｄ２Ｄ送信器から前記ＢＳへのチャネル情報を取得することは、
前記ＢＳから送信された参照信号に基づいて前記ＢＳから前記Ｄ２Ｄ送信器への前記パスロスを計算することと、
チャネルの相反性と、前記ＢＳから前記Ｄ２Ｄ送信器への前記パスロスとに基づいて前記Ｄ２Ｄ送信器から前記ＢＳへの前記パスロスを取得することと、を含む
請求項１又は２に記載の方法。
【請求項４】
通信システムでＤ２Ｄ（装置対装置；Device-to-Device）通信を実行するための方法であって、前記通信システムは、少なくとも、基地局（ＢＳ）と、前記基地局（ＢＳ）とセルラー通信するユーザー側装置（ＵＥ）と、を備えており、前記Ｄ２Ｄ通信は、Ｄ２Ｄ送信器とＤ２Ｄ受信器との間で実行され、前記セルラー通信に干渉する方法であって、
前記ＢＳと前記ＵＥとの間の前記セルラー通信上の変調及び符号化スキーム（ＭＣＳ）情報を取得することと、
前記Ｄ２Ｄ通信から前記セルラー通信への干渉を低減するように、前記ＭＣＳ情報に基づいて、前記Ｄ２Ｄ通信のための送信出力を決定することと、を含み、
前記ＭＣＳ情報に基づいて、前記Ｄ２Ｄ通信のための送信出力を決定することは、
前記Ｄ２Ｄ通信と前記セルラー通信とで共有される少なくとも１つの共有サブバンドのすべてのための出力制限を、前記ＭＣＳ情報に基づいて取得することと、
前記出力制限に基づいて前記Ｄ２Ｄ通信のための送信出力を決定することと、を含み、
前記セルラー通信は、下りリンク状態にあり、
前記Ｄ２Ｄ通信と前記セルラー通信とで共有される少なくとも１つの共有サブバンドのすべてのための出力制限を、前記ＭＣＳ情報に基づいて取得することは、
前記ＭＣＳ情報に基づいて前記ＢＳから前記ＵＥへのチャネル情報を取得することと、
前記Ｄ２Ｄ送信器から前記ＵＥへのパスロスに基づいて前記Ｄ２Ｄ送信器から前記ＵＥへのチャネル情報を取得することと、
前記少なくとも１つの共有サブバンドのすべてのための前記出力制限を、前記ＵＥから前記ＢＳへの前記チャネル情報と、前記Ｄ２Ｄ送信器から前記ＵＥへの前記チャネル情報と、前記下りリンクの停止確率とに基づいて計算することと、を含む
方法。
【請求項５】
前記ＢＳと前記ＵＥとの間の前記セルラー通信上の前記ＭＣＳ情報を取得することは、前記ＢＳから前記ＵＥへ送信される前記ＭＣＳ情報を取得することを含んでおり、
前記ＭＣＳ情報は、前記ＢＳからの参照信号の受信に応答して、前記ＵＥによって測定されたＣＱＩに基づいて、前記ＢＳによって決定される
請求項４に記載の方法。
【請求項６】
前記Ｄ２Ｄ送信器から前記ＵＥへのパスロスに基づいて前記Ｄ２Ｄ送信器から前記ＵＥへのチャネル情報を取得することは、
前記Ｄ２Ｄ送信器と前記ＵＥとの間の距離を決定することと、
前記Ｄ２Ｄ送信器と前記ＵＥとの間の前記距離に基づいて前記Ｄ２Ｄ送信器から前記ＵＥへの前記パスロスを計算することと、を含む
請求項４又は５に記載の方法。
【請求項７】
前記出力制限に基づいて前記Ｄ２Ｄ通信のための前記送信出力を決定することは、
前記Ｄ２Ｄ送信器における総出力制限を取得することと、
前記Ｄ２Ｄ通信のための前記送信出力を、前記少なくとも１つの共有サブバンドのすべてのための前記出力制限と、前記総出力制限とに基づいて決定することと、を含む
請求項１乃至６のいずれか１項に記載の方法。
【請求項８】
通信システムでＤ２Ｄ（装置対装置；Device-to-Device）通信を実行し、前記通信システムは、少なくとも、基地局（ＢＳ）と、前記基地局（ＢＳ）とセルラー通信するユーザー側装置（ＵＥ）と、を備えており、前記Ｄ２Ｄ通信は、Ｄ２Ｄ送信器とＤ２Ｄ受信器との間で実行され、前記セルラー通信に干渉する装置であって、
前記ＢＳと前記ＵＥとの間の前記セルラー通信上の変調及び符号化スキーム（ＭＣＳ）情報を取得するよう構成された取得ユニットと、
前記Ｄ２Ｄ通信から前記セルラー通信への干渉を低減するように、前記Ｄ２Ｄ通信のための送信出力を、前記ＭＣＳ情報に基づいて決定するように構成された決定ユニットと、を備え、
前記決定ユニットは、
前記Ｄ２Ｄ通信と前記セルラー通信とで共有される少なくとも１つの共有サブバンドのすべてのための出力制限を、前記ＭＣＳ情報に基づいて取得するよう構成された取得手段と、
前記出力制限に基づいて前記Ｄ２Ｄ通信のための前記送信出力を決定するよう構成された決定手段と、を備え、
前記セルラー通信は、上りリンク状態にあり、
前記取得手段は、
前記ＭＣＳ情報に基づいて前記ＵＥから前記ＢＳへの前記チャネル情報を取得するよう構成された手段と、
前記Ｄ２Ｄ送信器から前記ＢＳへのパスロスに基づいて前記Ｄ２Ｄ送信器から前記ＢＳへのチャネル情報を取得するよう構成された手段と、
前記少なくとも１つの共有サブバンドのすべてのための前記出力制限を、前記ＵＥから前記ＢＳへの前記チャネル情報と、前記Ｄ２Ｄ送信器から前記ＢＳへの前記チャネル情報と、前記上りリンクの停止確率とに基づいて計算するよう構成された手段と、を備える
装置。
【請求項９】
通信システムでＤ２Ｄ（装置対装置；Device-to-Device）通信を実行し、前記通信システムは、少なくとも、基地局（ＢＳ）と、前記基地局（ＢＳ）とセルラー通信するユーザー側装置（ＵＥ）と、を備えており、前記Ｄ２Ｄ通信は、Ｄ２Ｄ送信器とＤ２Ｄ受信器との間で実行され、前記セルラー通信に干渉する装置であって、
前記ＢＳと前記ＵＥとの間の前記セルラー通信上の変調及び符号化スキーム（ＭＣＳ）情報を取得するよう構成された取得ユニットと、
前記Ｄ２Ｄ通信から前記セルラー通信への干渉を低減するように、前記Ｄ２Ｄ通信のための送信出力を、前記ＭＣＳ情報に基づいて決定するように構成された決定ユニットと、を備え、
前記決定ユニットは、
前記Ｄ２Ｄ通信と前記セルラー通信とで共有される少なくとも１つの共有サブバンドのすべてのための出力制限を、前記ＭＣＳ情報に基づいて取得するよう構成された取得手段と、
前記出力制限に基づいて前記Ｄ２Ｄ通信のための前記送信出力を決定するよう構成された決定手段と、を備え、
前記セルラー通信は、下りリンク状態にあり、
前記取得手段は、
前記ＭＣＳ情報に基づいて前記ＢＳから前記ＵＥへの前記チャネル情報を取得するよう構成された手段と、
前記Ｄ２Ｄ送信器から前記ＵＥへのパスロスに基づいて前記Ｄ２Ｄ送信器から前記ＵＥへのチャネル情報を取得するよう構成された手段と、
前記少なくとも１つの共有サブバンドのすべてのための前記出力制限を、前記ＵＥから前記ＢＳへの前記チャネル情報と、前記Ｄ２Ｄ送信器から前記ＵＥへの前記チャネル情報と、前記下りリンクの停止確率とに基づいて計算するよう構成された手段と、を備える
装置。
【発明の詳細な説明】
【技術分野】
【０００１】
本発明の実施形態は、一般的に、通信技術に関する。本発明の実施形態は、特に、Ｄ２Ｄ（Device-to-Device）通信（端末間直接通信）を実行するための方法及び装置に関する。
【背景技術】
【０００２】
次世代の移動無線通信システムは、通常、高速マルチメディアサービスを提供する。たとえば、３ＧＰＰ  ＬＴＥや、ＬＴＥ−Ａｄｖａｎｃｅｄは、新たに発展した無線アクセス技術のための新たな一連の仕様を創造する次世代セルラー方式通信規格の１つである。マルチメディアサービスの使用が広く普及する中で、無線通信ユーザーの、より早く、より信頼できる、よりよいマルチメディアへの要望がふくらんできている。
【０００３】
このようにふくらむ要望に応えるべく、より効率的で質の良いサービスを提供するための研究が実行されている。言い換えると、データ送信の質を高める様々な方法が研究されており、特に、周波数リソースの使用を改善する方法が研究されている。
【０００４】
高スループットに対する要望がふくらむことにより、たとえば、フェムトセル及び他のスモールセルのように、セルラーネットワークのトラフィックをオフロードする傾向に、大きな注目が集まっている。セルラートラフィックをオフロードする要望が増大していることにより、大部分の産業パートナーが、Ｄ２Ｄ通信に注目している。Ｄ２Ｄ通信の目的は、インフラの助力なしに、或いは、限定された助力によって、移動端末が互いに情報を伝達できるように、このトラックを辿ることにある。
【０００５】
効率的にスペクトルを利用するために、同一の周波数帯域が、セルラー（ネットワーク）のユーザーと、Ｄ２Ｄ装置との双方で共有されるようになっている。しかしながら、同一の副搬送波或いは周波数帯域が、Ｄ２Ｄ通信とセルラー通信とに同時に振り分けられた場合、相互干渉が、上りリンクセルラー通信（以下、”上りリンク”と呼ぶ）と、下りリンクセルラー通信（以下、”下りリンク”と呼ぶ）の双方の質を大きく低下させるおそれがある。
【０００６】
このような問題ゆえに、Ｄ２Ｄ通信とセルラー通信との双方を含む通信システムの機能を効果的に改善するように、上りリンクと下りリンクの双方において、Ｄ２Ｄ通信からセルラー通信への干渉を低減する必要がある。
【発明の概要】
【発明が解決しようとする課題】
【０００７】
本発明は、上りリンクと下りリンクとにおいて、Ｄ２Ｄ通信からセルラー通信への干渉を低減できる解決法を提案する。特に、本発明は、通信システムにおけるＤ２Ｄ通信を実行する方法及び装置を提供する。
【課題を解決するための手段】
【０００８】
本発明の第１の観点によれば、本発明の実施形態は、通信システムにおいてＤ２Ｄ（装置対装置；Device-to-Device）通信を実行するための方法を提供する。通信システムは、少なくとも、基地局（ＢＳ）と、基地局（ＢＳ）とセルラー通信するユーザー側装置（ＵＥ）と、を含み、Ｄ２Ｄ通信は、Ｄ２Ｄ送信器とＤ２Ｄ受信器との間で実行され、セルラー通信を干渉する。その方法は、Ｄ２Ｄ通信からセルラー通信への干渉を低減するように、ＢＳとＵＥとの間のセルラー通信上の変調及び符号化スキーム（ＭＣＳ）情報を取得するステップと、ＭＣＳ情報に基づいてＤ２Ｄ通信のための送信出力を決定するステップと、を含む。
【０００９】
本発明の第２の観点によれば、本発明の実施形態は、通信システムにおいてＤ２Ｄ（装置対装置；Device-to-Device）通信を実行するための装置を提供する。通信システムは、少なくとも、基地局（ＢＳ）と、基地局（ＢＳ）とセルラー通信するユーザー側装置（ＵＥ）と、を含んでもよく、Ｄ２Ｄ通信は、Ｄ２Ｄ送信機とＤ２Ｄ受信器との間で実行され、セルラー通信を干渉する。その装置は、Ｄ２Ｄ通信からセルラー通信への干渉を低減するように、ＢＳとＵＥとの間のセルラー通信上の変調及び符号化スキーム（ＭＣＳ）情報を取得するよう構成された取得ユニットと、ＭＣＳ情報に基づいてＤ２Ｄ通信のための送信出力を決定するよう構成された決定ユニットと、を含んでもよい。
【発明の効果】
【００１０】
本発明は、以下の利点が期待される。Ｄ２Ｄ通信に対してセルラー通信との間で無線リソースを共有させることによって、スペクトル効率スキームが改善される。さらに、本開示では、干渉リンクの両者、たとえば、セルラー通信の上りリンクセッションにおける、Ｄ２Ｄ送信器からセルラー通信の基地局（ＢＳ）への干渉と、セルラー通信のユーザー側装置（ＵＥｓ）からＤ２Ｄ受信器への干渉、或いは、セルラー通信の下りリンクセッションにおける、Ｄ２Ｄ送信器からセルラー通信のＵＥへの干渉と、セルラー通信のＢＳからＤ２Ｄ受信器への干渉が、考慮されている。Ｄ２Ｄ通信のためのオーバーヘッド消費（仮想化の目的に使用される消費メモリの量）は、Ｄ２Ｄ送信器（”Ｔｘ”とも呼ばれる）に対して、特定セルラーＵＥｓ（セルラー通信上の特定のＵＥｓ）を提供する制御通知を受信させることによって、低減する。言い換えると、ＢＳは、すべてのＤ２Ｄ送信器や受信器に、ＭＣＳ情報を明瞭に送信することを必要としない。
【００１１】
本発明に係る実施形態の他の特徴及び利点も、本発明の実施形態の主要部を例により図示する添付図面と併せて読むと、具体的実施形態の以下の記載から明らかであろう。
【００１２】
本発明の実施形態は、いくつかの例という意味で示されており、これらの利点は、添付図面を参照して、以下で、より詳細に説明される。
【図面の簡単な説明】
【００１３】
【図１Ａ】図１Ａは、上りリンクセルラー通信がＤ２Ｄ通信によって干渉されている通信システムの概略図を表している。
【００１４】
【図１Ｂ】図１Ｂは、下りリンクセルラー通信がＤ２Ｄ通信によって干渉されている通信システムの概略図を表している。
【００１５】
【図２】図２は、本発明の実施形態に係る通信システムにおいてＤ２Ｄ通信を実行するための方法２００のフローチャートを表している。
【００１６】
【図３】図３は、本発明の他の実施形態に係る通信システムにおいてＤ２Ｄ通信を実行するための方法３００のフローチャートを表している。
【００１７】
【図４】図４は、本発明のさらに他の実施形態に係る通信システムにおいてＤ２Ｄ通信を実行するための方法４００のフローチャートを表している。
【００１８】
【図５】図５は、本発明の実施形態に係る通信システムにおいてＤ２Ｄ通信を実行するための装置５００のブロック図を表している。
【発明を実施するための形態】
【００１９】
本発明の様々な実施形態を、図面を参照して詳細に説明する。図面のフローチャートとブロック図は、本発明の実施形態に従って、コンピュータプログラム製品によって実行可能な構造、機能、及び処理だけでなく、装置や方法をも図示している。この観点では、フローチャートにおける各ブロック、或いは、ブロックは、特定の論理機能を実行するための１以上の実行可能な指示を含む、モジュール、プログラム、或いは、コードの一部を表す。いくつかの代案では、ブロックで示された機能は、図面で図示された順番とは異なる順番で生じてもよいことに注意すべきである。たとえば、連続して図示された２つのブロックを、実際には、関連する機能に応じて、実質的に並行して、或いは、逆の順番で実行してもよい。また、ブロック図、及び／又は、フローチャートの各ブロック、及び、これらの組み合わせを、特定の機能／処理を実行するための専用のハードウェアベースのシステムによって、或いは、専用のハードウェアとコンピュータの命令との組み合わせによって実行することができることにも注意すべきである。
【００２０】
この開示において、ユーザー側装置（ＵＥ）を、端末や、移動端末（ＭＴ）や、加入者ステーション（ＳＳ）や、ポータブル加入者ステーション（ＰＳＳ）や、移動ステーション（ＭＳ）や、アクセス端末（ＡＴ）とみなすことができ、ＵＥや、端末や、ＭＴや、ＳＳや、ＰＳＳや、ＭＳや、ＡＴの機能のいくつか或いはすべてを含みうる。
【００２１】
この開示において、基地局（ＢＳ）を、ノードＢ（ノードＢ或いはＮＢ）、或いは、ｅｖｏｌｖｅｄノードＢ（ｅＮｏｄｅＢ或いはｅＮＢ）とみなすことができる。基地局を、マクロセルＢＳ或いはスモールセルＢＳとみなすことができる。本発明によれば、マクロセルＢＳは、マクロセル、たとえば、マクロｅＮＢを管理する基地局となり、スモールセルＢＳは、スモールセル、たとえば、ピコｅＮＢ、フェムトｅＮＢ、及びいくつかの他の適切な低出力ノードを管理する基地局となる。
【００２２】
はじめに、上りリンクセルラー通信がＤ２Ｄ通信によって干渉される通信システムの概略図を表す図１Ａが参照される。
【００２３】
図１Ａの通信環境は、ＬＴＥシステムを表している。そのシステムは、実例として、ＢＳ１１０と、ＵＥ１１１と、ＵＥ１１２と、Ｄ２Ｄ送信器１１３と、Ｄ２Ｄ受信器１１４とを備える。そのシステムでは、ＵＥ１１１は、ＢＳ１１０の受け持ち範囲にあり、特に、ＵＥ１１１は、上りリンク（たとえば、ＵＥ１１１とＢＳ１１０とは、上りリンクセルラー通信上にある。）で、ＢＳ１１０と通信し、Ｄ２Ｄ送信器１１３とＤ２Ｄ受信器１１４とは、Ｄ２Ｄ通信上にあり、特に、Ｄ２Ｄ送信器１１３は、Ｄ２Ｄ受信器１１４にデータを送信している。当業者であれば理解できるように、本発明の他の実施形態では、他のＤ２Ｄ通信において、Ｄ２Ｄ受信器１１４は、データを送信するためのＤ２Ｄ送信器としての役割を果たすことができ、Ｄ２Ｄ送信器１１３は、データを受信するためのＤ２Ｄ受信器としての役割を果たすことができる。したがって、Ｄ２Ｄ送信器１１３とＤ２Ｄ受信器１１４とは、図１Ａに一例として表されているに過ぎず、限定されるものではない。
【００２４】
図１Ａから判るように、Ｄ２Ｄ通信の間、特に、Ｄ２Ｄ送信器１１３がＤ２Ｄ受信器１１４にデータを送信している際に、ＵＥ１１１から上りリンクで受信データが送信されたとき、ＢＳ１１０は、Ｄ２Ｄ送信器１１３からの干渉を受ける。このとき、ＢＳ１１０を、”犠牲受信器”とみなすことができる。
【００２５】
次に、下りリンクセルラー通信がＤ２Ｄ通信によって干渉されている通信システムの概略図を表す図１Ｂが参照される。
【００２６】
図１Ｂの通信環境は、ＬＴＥシステムを表している。そのシステムは、実例として、ＢＳ１２０と、ＵＥ１２１と、ＵＥ１２２と、Ｄ２Ｄ送信器１２３と、Ｄ２Ｄ受信器１２４とを備える。そのシステムでは、ＵＥ１２１は、ＢＳ１２０の受け持ち範囲内にあり、特に、ＢＳ１２０は、下りリンク（たとえば、ＵＥ１２１とＢＳ１２０とは、下りリンクセルラー通信上にある。）で、ＵＥ１２１にデータを送信しており、ＵＥ１２２も、ＢＳ１２０の受け持ち範囲内にあり、特に、ＢＳ１２０は、下りリンク（たとえば、ＵＥ１２２とＢＳ１２０とは、下りリンクセルラー通信上にある。）で、ＵＥ１２２にデータを送信しており、Ｄ２Ｄ送信器１２３とＤ２Ｄ受信器１２４とは、Ｄ２Ｄ通信上にあり、特に、Ｄ２Ｄ送信器１２３は、Ｄ２Ｄ受信器１２４にデータを送信している。この技術分野における当業者が理解できるように、本発明の他の実施形態では、他のＤ２Ｄ通信において、Ｄ２Ｄ受信器１２４は、データを送信するためのＤ２Ｄ送信器としての役割を果たすことができ、Ｄ２Ｄ送信器１２３は、データを受信するためのＤ２Ｄ受信器としての役割を果たすことができる。したがって、Ｄ２Ｄ送信器１２３とＤ２Ｄ受信器１２４とは、図１Ｂに一例として表されているに過ぎず、限定されるものではない。
【００２７】
図１Ｂから判るように、Ｄ２Ｄ通信の間、特に、Ｄ２Ｄ送信器１２３がＤ２Ｄ受信器１２４にデータを送信している際に、ＢＳ１２０から下りリンクで受信データが送信されたとき、ＵＥ１２１及び／又はＵＥ１２２は、Ｄ２Ｄ送信器１１３からの干渉を受ける。このとき、ＵＥ１２１及び／又はＵＥ１２２を、”犠牲受信器”とみなすことができる。
【００２８】
本発明の実施形態によれば、Ｄ２Ｄ送信器とＤ２Ｄ受信器とは、１つのセルの範囲内に位置してもよいし、隣接する異なるセルに位置してもよい。Ｄ２Ｄ送信器とＤ２Ｄ受信器とが１つのセルの範囲内に位置する実施形態では、セルラー通信が上りリンク状態にあるとき、セルを管理するＢＳが、”犠牲受信器”となり、セルラー通信が下りリンク状態にあるとき、下りリンクでＢＳと通信する１以上のＵＥが”犠牲受信器”となる。Ｄ２Ｄ送信器とＤ２Ｄ受信器とが隣接する異なるセルに位置する実施形態では、セルラー通信が上りリンク状態にあるとき、Ｄ２Ｄ送信器が位置するセルを管理するＢＳが”犠牲受信器”となり、セルラー通信が下りリンクであるとき、下りリンクでＢＳ（Ｄ２Ｄ送信器が位置するセルを管理する）と通信する１以上のＵＥが”犠牲受信器”となる。
【００２９】
次に、本発明の実施形態に係る通信システムにおいてＤ２Ｄ通信を実行するための方法２００のフローチャートを表す図２が参照される。本発明の実施形態によれば、通信システムは、ＢＳを有するセルラー通信上で、少なくとも、ＢＳとＵＥとを備えており、Ｄ２Ｄ通信は、Ｄ２Ｄ送信器とＤ２Ｄ受信器との間で実行され、セルラー通信を干渉する。本発明の実施形態によれば、通信システムは、図１Ａ或いは図１Ｂで図示されたシステムと同様に実行される。
【００３０】
ステップＳ２０１では、ＢＳとＵＥとの間のセルラー通信上のＭＣＳ情報が取得される。
【００３１】
本発明の実施形態によれば、セルラー通信は、上りリンク状態、つまり、上りリンクセルラー通信であってもよい。この場合、ＢＳとＵＥとの間のセルラー通信上のＭＣＳ情報を、ＢＳからＵＥに送信されたＭＣＳ情報を取得することによって取得してもよく、ＭＣＳ情報は、ＢＳによりＵＥに示される。
【００３２】
本発明の実施形態によれば、セルラー通信は、下りリンク状態、つまり、下りリンクセルラー通信でありうる。この場合、ＢＳとＵＥとの間のセルラー通信上のＭＣＳ情報を、ＢＳからＵＥに送信されたＭＣＳ情報を取得することによって取得することができ、そのＭＣＳ情報は、ＢＳからの参照信号の受信に応答してＵＥによって測定されたＣＱＩに基づいて、ＢＳによって決定される。
【００３３】
ステップＳ２０２では、Ｄ２Ｄ通信からノーマル通信への干渉が低減するように、Ｄ２Ｄ通信のための送信出力が、ＭＣＳ情報に基づいて決定される。
【００３４】
本発明の実施形態によれば、Ｄ２Ｄ通信とセルラー通信とで共有される少なくとも１つの共有サブバンドのすべてのための出力制限をＭＣＳ情報に基づいて取得し、Ｄ２Ｄ通信のための送信出力を出力制限に基づいて決定することによって、Ｄ２Ｄ通信のための送信出力が、決定されうる。
【００３５】
本発明の実施形態によれば、セルラー通信は上りリンク状態にある。この場合、ＭＣＳ情報に基づいてＵＥからＢＳへのチャネル情報を取得し、Ｄ２Ｄ送信器からＢＳへのパスロスに基づいたＤ２Ｄ送信器からＢＳへのチャネル情報を取得し、Ｄ２Ｄ送信器からＢＳへのパスロスに基づいてＤ２Ｄ送信器からＢＳへのチャネル情報を取得し、ＵＥからＢＳへのチャネル情報と、Ｄ２Ｄ送信器からＢＳへのチャネル情報と、上りリンクの停止確率とに基づいて、少なくとも１つの共有サブバンドのすべてのための出力制限を計算することによって、少なくとも１つの共有サブバンドのすべてのための出力制限を、決定することができる。本発明の実施形態によれば、Ｄ２Ｄ送信器からＢＳへのチャネル情報を、ＢＳからＤ２Ｄ送信器へのパスロスをＢＳから送信された参照信号を基にして計算し、チャネルの相反性と、Ｂ２からＤ２Ｄ送信器へのパスロスとに基づいて、Ｄ２Ｄ送信器からＢＳへのパスロスを取得することによって、取得することができる。
【００３６】
本発明の実施形態によれば、セルラー通信は下りリンク状態にある。この場合、ＭＣＳ情報に基づいてＵＥからＢＳへのチャネル情報を取得し、Ｄ２Ｄ送信器からＵＥへのパスロスに基づいてＤ２Ｄ送信器からＵＥへのチャネル情報を取得し、少なくとも１つの共有サブバンドのすべてのための出力制限を、ＵＥからＢＳへのチャネル情報と、Ｄ２Ｄ送信器からＵＥへのチャネル情報と、下りリンクの停止確率とに基づいて計算することによって、少なくとも１つの共有サブバンドのすべてのための出力制限を、決定することができる。本発明の実施形態によれば、Ｄ２Ｄ送信器からＵＥへのチャネル情報を、Ｄ２Ｄ送信器とＵＥとの間の距離を決定し、Ｄ２Ｄ送信器とＵＥとの間の距離に基づいて、Ｄ２Ｄ送信器からＵＥへのパスロスを計算することによって、取得することができる。
【００３７】
本発明の実施形態によれば、Ｄ２Ｄ通信のための送信出力を、Ｄ２Ｄ送信機における総出力制限を取得し、Ｄ２Ｄ通信のための送信出力を、少なくとも１つの共有サブバンドのすべてのための出力制限と総出力制限とに基づいて決定することによって、取得することができる。本発明の実施形態によれば、Ｄ２Ｄ受信器が受けた干渉を取得し、取得された干渉に基づいて少なくとも１つの共有サブバンド毎に送信速度を計算し、少なくとも１つの共有サブバンド毎に、サブバンド送信出力を、各サブバンド送信出力が、対応するサブバンドのための出力制限を超えず、且つ、サブバンド送信出力の合計が、総出力制限を超えないように、計算された送信速度の合計を最大化することによって取得することによって、Ｄ２Ｄ通信のための送信出力を、決定することができる。本発明の実施形態によれば、Ｄ２Ｄ受信器が受ける干渉は、長期間の干渉であってもよいし、瞬間的な干渉であってもよいし、いくつかの他の干渉であってもよい。いくつかの実施形態では、長期間の干渉は、Ｄ２Ｄ受信器における過去の干渉に基づいて推定されるか、または所定値として設定される。いくつかの実施形態では、瞬間的な干渉は、ＵＥとＤ２Ｄ送信器とで共有される少なくとも１つの共有サブバンド毎にＤ２Ｄ受信器によって測定される。このように、Ｄ２Ｄ受信器が受ける干渉を、Ｄ２Ｄ受信器への長期間の干渉、又は、Ｄ２Ｄ受信器への瞬間的な干渉のいずれかを取得することによって、取得することができる。
【００３８】
次に、本発明の他の実施形態に係る通信システムにおいてＤ２Ｄ通信を実行するための方法３００のフローチャートを表す図３が参照される。本発明の実施形態によれば、通信システムは、少なくとも、ＢＳと、ＢＳとセルラー通信するＵＥと、を備えており、Ｄ２Ｄ通信が、Ｄ２Ｄ送信器とＤ２Ｄ受信器との間で実行され、セルラー通信に干渉する。本発明の実施形態によれば、通信システムは、図１Ａ或いは図１Ｂに表されたシステムとして実行される。図３によって表された実施形態では、セルラー通信は上りリンク状態、つまり、上りリンクセルラー通信である。図４によって表された実施形態はこれとは異なり、セルラー通信は下りリンク状態、つまり、下りリンクセルラー通信である。
【００３９】
ステップＳ３０１では、ＢＳとＵＥとの間のセルラー通信上のＭＣＳ情報が取得され、このＭＣＳ情報は、ＢＳからＵＥに対して示される。
【００４０】
本発明の実施形態によれば、ＭＣＳ情報がＢＳからＵＥに示され、それから、ＢＳが、ＵＥにＭＣＳ情報を送信することができる。Ｄ２Ｄ送信器は、ＢＳからＵＥに送信されたＭＣＳ情報が判るので、ＢＳからＵＥに送信されたＭＣＳ情報を取得することができる。
【００４１】
本発明の実施形態によれば、ＭＣＳ情報は、少なくとも、ＢＳによってＵＥに対して示された変調及び符号化スキームを示すＭＣＳインデックスを含む。ＵＥは、ＭＣＳ情報によって示された変調及び符号化スキームを用いて、セルラー通信、たとえば、ＢＳを有する上りリンクセルラー通信を実行することができる。
【００４２】
本発明のいくつかの実施形態では、ＢＳは、下りリンク制御チャネルを通じて、Ｄ２Ｄ送信器に対して、どのサブバンドが共有可能かを信号の形で通知することができる。Ｄ２Ｄ送信器は、下りリンク制御チャネルが判るので、少なくとも、１つの共有上りリンクサブバンドを見つけることができる。Ｄ２Ｄ送信器は、取得されたＭＣＳ情報に基づいて、ＭＣＳやＱｕａｎ−ＳＩＮＲなどのような、少なくとも１つの共有サブバンドを、送信モードに対応して知ることができる。
【００４３】
ステップＳ３０２では、ＵＥからＢＳへのチャネル情報が、ＭＣＳ情報に基づいて取得される。
【００４４】
本発明の実施形態によれば、Ｄ２Ｄ送信器は、スループット最大化問題を解決することによって、共有サブバンドの各々における送信出力を決定することができ、到来する上りリンクセッションに対して待機する。スループット最大化問題を解決するため、Ｄ２Ｄ送信器は、いくつかのパラメータ、たとえば、ＵＥからＢＳへのチャネル情報、Ｄ２Ｄ送信器からＢ２へのチャネル情報、Ｄ２Ｄ送信器における総出力制限などを予め取得する。
【００４５】
この実施形態では、ＵＥからＢＳへのチャネル情報は、ＵＥからＢＳへのチャネルゲイン、長期平均値、チャネル分布などを含んでいる。長期平均値は、チャネルのパスロスに基づいて取得することができ、分布は、たとえば高速フェージングを表すレイリー分布である。いくつかの実施形態では、参照信号は、ＵＥからＢＳへのチャネルゲインの取得に用いられ、チャネルゲインは、１セットの変調及び符号化スキームに対応した値の範囲内で変化しうる。本発明の実施形態によれば、用いられる変調及び符号化スキームは、ステップＳ３０１において取得されうるＭＣＳ情報から決定される。
【００４６】
ステップＳ３０３では、Ｄ２Ｄ送信器からＢＳへのチャネル情報が、Ｄ２Ｄ送信器からＢＳへのパスロスに基づいて取得される。
【００４７】
この実施形態では、Ｄ２Ｄ送信器からＢＳへのチャネル情報は、Ｄ２Ｄ送信器からＢＳへのチャネルにおける統計的な情報、たとえば、Ｄ２Ｄ送信器からＢＳへのパスロスの平均値や分布などでありうる。
【００４８】
本発明の実施形態によれば、Ｄ２Ｄ送信器からＢＳへのパスロスは、いくつかの方法によって取得することができる。たとえば、ＢＳからＤ２Ｄ送信器へのパスロスが、ＢＳから送信される参照信号に基づいて計算され、それから、Ｄ２Ｄ送信器からＢＳへのパスロスが、チャネルの相反性と、ＢＳからＤ２Ｄ送信器へのパスロスとに基づいて取得される。
【００４９】
ステップＳ３０４では、Ｄ２Ｄ通信とセルラー通信とで共有される前記の少なくとも１つの共有サブバンドのすべてのための出力制限が、ＵＥからＢＳへのチャネル情報と、Ｄ２Ｄ送信器からＢＳへのチャネル情報と、上りリンクの停止確率とに基づき計算される。
【００５０】
本発明の実施形態によれば、上りリンクの停止確率は、ＢＳで予め定められうる。たとえば、上りリンクの停止確率は、通信システムのオペレーター、又は、当業者の経験に従って設定できるし、通信システムの具体的な通信状態に従って設定することもできる。
【００５１】
実施形態では、ＵＥからＢＳへのチャネル情報がｇで表され、Ｄ２Ｄ送信器からＢＳへのチャネル情報がｈＤ，ＢＳで表され、上りリンクの停止確率がεＵＬで表される。たとえば、上りリンクの停止確率εＵＬは１０％であるかもしれない。本発明の実施形態によれば、出力制限
【数１】
0005855271.tif 000002
を少なくとも１つの共有サブバンドのすべてのために適用可能な出力に基づいて取得することができる。たとえば、出力制限
【数２】
0005855271.tif 000003
は、適用可能な出力の最大値として設定されることができる。本発明の実施形態では、適用可能な出力（ＰＤ，ｌで表されている）が、次式から計算される。
【数３】
0005855271.tif 000004
ここで、ＰＤ，ｌは、少なくとも１つの共有サブバンドのすべてのために適用可能な出力を表し（たとえば、もし合計でＳ個の共有サブバンドがある場合には、ＰＤ，ｌは、Ｓ個の共有サブバンドのために適用可能な出力を表す）、下付きのｌは、ＭＣＳ情報を基にして取得されたｌ個目の変調及び符号化スキームを表し、下付きのＤは、それがＤ２Ｄ送信器に関連していることを表し、ＰＵＥは、ＵＥの送信出力を表し、Ｎ０は、バックグラウンドノイズであり、Ｉはセル間干渉（ＩＣＩ）を示している。当業者であれば理解できるように、Ｎ０とＩは、現存する方法に従って取得することができるので、ここでは、関連する詳細については省略する。たとえば、チャネルゲインがレイリー分布に従うものと仮定することによって、ＰＵＥと、Ｎ０とＩの変化とを一定にできる。従って、Ｄ２Ｄ送信器の最大送信出力、つまり、ｌ番目の共有サブバンドのためのＤ２Ｄ送信機の出力制限を明白な形式で解析的に導出することができる。
【００５２】
本発明の実施形態によれば、ＢＳを有するセルラー通信には、いくつかのＵＥがある。従って、ＢＳと、それぞれ異なるＵＥとの間にいくつかの上りリンクセッションができる。ｎ番目のＵＥに関し、式（１）で表される”ｇ”は、ｎ番目のＵＥからＢＳへのチャネル情報を表す。説明の容易のために、実施形態では、たとえば、ｎ番目のＵＥを単に用いた。当業者は、ＢＳを有する上りリンクセルラー通信にいくつかのＵＥがある場合にも、本発明の方法も適用可能であることを理解することができるであろう。
【００５３】
ステップＳ３０５では、Ｄ２Ｄ送信器における総出力制限が取得される。
【００５４】
本発明の実施形態によれば、Ｄ２Ｄ送信器における総出力制限を、その生産者、オペレーター、売買者などが、予め決めておくことができる。或いは、Ｄ２Ｄ送信器における総出力制限を、適用される通信システムの特定の状態に従って、固定値として設定することができる。当業者は、Ｄ２Ｄ送信器における総出力制限は、様々な方法で取得することができ、上述の例は、説明のために示されただけであり、上述の例には限定されないことを理解できるであろう。
【００５５】
ステップＳ３０６では、Ｄ２Ｄ受信器が受ける干渉が取得される。
【００５６】
Ｄ２Ｄ受信器が受ける干渉は、Ｄ２Ｄ受信器への長期間の干渉を取得することにより取得することができる。本発明の実施形態によれば、長期間の干渉は、Ｄ２Ｄ受信機における過去の干渉に基づいて推定されるか、または所定値として設定される。いくつかの実施形態では、長期間の干渉を、Ｄ２Ｄ受信器、或いは、過去の干渉に関する情報を適用可能ないくつかの他の装置によって決定することができるので、Ｄ２Ｄ受信器或いはいくつかの他の装置は、定期的に或いは定義済みの瞬間に、Ｄ２Ｄ送信器へ長期間の干渉を送信することができる。いくつかの他の実施形態では、長期間の干渉を、Ｄ２Ｄ送信器によって決定することができ、この場合、Ｄ２Ｄ送信器は、長期間の干渉を得るために、定期的に或いは定義済みの瞬間に、Ｄ２Ｄ受信器における過去の干渉に関する情報を集める。
【００５７】
Ｄ２Ｄ受信器が受ける干渉は、Ｄ２Ｄ受信器への瞬間的な干渉を取得することによって取得することができる。本発明の実施形態によれば、瞬間的な干渉は、Ｄ２Ｄ受信器によって、ＵＥとＤ２Ｄ送信器とで共有される少なくとも１つの共有サブバンド毎に、測定される。たとえば、Ｄ２Ｄ受信器は、Ｄ２Ｄ送信器からの要求に応答して瞬間的な干渉を測定することができ、それをＤ２Ｄ送信器に知らせる。他の例では、Ｄ２Ｄ受信器は、定期的に或いは予め決められた時間毎に、瞬間的な干渉を計測し、それを率先して或いは定期的にＤ２Ｄ送信器に知らせることができる。
【００５８】
ステップＳ３０７では、取得済みの干渉を基にして、少なくとも１つの共有サブバンド毎に送信速度が計算される。
【００５９】
本発明の実施形態によれば、共有サブバンドのための送信速度を、いくつかの方法によって計算することができる。たとえば、Ｄ２Ｄ送信器とＵＥとの間で共有されるＳ個のサブバンドがあると仮定した場合、Ｓ番目の共有サブバンドの送信速度を、以下の式によって取得することができる。
【数４】
0005855271.tif 000005
ここで、ＲＳは、Ｓ番目の共有サブバンドの送信速度を表し、ＰＤ，ｌ（ｓ），ｓは、ｌ個目の変調及び符号化スキーム（たとえば、ｌは、取得済みのＭＣＳ情報に含まれたＭＣＳインデックスである）に応じてＤ２Ｄ送信器によってＳ番目のサブバンドに対して使用される送信出力を表し、ｋＳは、Ｄ２Ｄ受信器における干渉レベルに関連する、各サブバンドの調整パラメータである。
【００６０】
本発明の実施形態によれば、ｋＳは、以下のようにして取得することができる。
【数５】
0005855271.tif 000006
ここで、εＤは、Ｄ２Ｄ送信にとっての停止閾値を表し、
【数６】
0005855271.tif 000007
は、Ｄ２Ｄ送信器とＤ２Ｄ受信器との間の平均チャネルゲインを表し、ＩＤ，ｓは、サブバンドｓにおけるＤ２Ｄ受信器での干渉レベルを表し、σ２は、ガウス分布するバックグラウンドノイズの出力を表す。
【００６１】
ステップＳ３０８では、少なくとも１つの共有サブバンド毎のサブバンド送信出力を、各サブバンド送信出力が、対応するサブバンドのための出力制限を超えず、且つ、サブバンド送信出力の合計が、総出力制限を超えないように、計算された送信速度の合計を最大化することによって取得する。
【００６２】
本発明の実施形態によれば、少なくとも１つの共有サブバンド毎のサブバンド送信出力は、上述したように、ｌ個目の変調及び符号化スキームに応じたＳ番目のサブバンドに対するサブバンド送信出力を表すＰＤ，ｌ（ｓ），ｓとして示されている。実施形態では、ＰＤ，ｌ（ｓ），ｓを、計算された送信速度の合計を最大化し、同時に、各サブバンド送信出力が対応するサブバンドのための出力制限を超えず、且つ、サブバンド送信出力の合計が、総出力制限を超えないという要請を満たすことによって取得することができる。特に、ＰＤ，ｌ（ｓ），ｓは、以下を解くことによって取得することができる。
【数７】
0005855271.tif 000008
ここで、
【数８】
0005855271.tif 000009
は、少なくとも１つの共有サブバンドのすべてのための出力制限を表し、
【数９】
0005855271.tif 000010
は、ステップＳ３０５で取得される、Ｄ２Ｄ送信器における総出力制限を表す。
【００６３】
上述のように、サブバンド毎に様々な干渉レベルＩＤ，ｓを伴う古典的な注水定理アルゴリズムである解決法を代表例として説明したが、当業者は、少なくとも１つの共有サブバンド毎にサブバンド送信出力を取得する際に、満たされるべき他の要請を定義するいくつかの他の方法があることをすぐに理解できるであろう。本発明のいくつかの実施形態では、干渉レベルは、Ｄ２Ｄ受信器への瞬間的な干渉である。もし、瞬間的な干渉をＤ２Ｄ送信機で利用することができない場合には、Ｄ２Ｄ送信器は、長期間の干渉を参照し、それをすべてのサブバンドに適用することができる。
【００６４】
少なくとも１つの共有サブバンド毎にサブバンド送信出力を取得した後には、それに応じて、Ｄ２Ｄ送信器によって利用される送信出力を決定することができる。
【００６５】
当業者は、チャネル情報を、この技術分野で知られたいくつかの方法によって取得することができることを、すぐに、理解できるであろう。
【００６６】
次に、本発明のさらに他の実施形態に係る通信システムにおいてＤ２Ｄ通信を実行するための方法４００のフローチャートを表した図４が参照される。本発明の実施形態によれば、通信システムは、少なくとも、ＢＳと、ＢＳとセルラー通信するＵＥとを備えており、Ｄ２Ｄ通信は、Ｄ２Ｄ送信器とＤ２Ｄ受信器との間で実行され、セルラー通信に干渉する。本発明の実施形態によれば、通信システムは、図１Ａ或いは図１Ｂで図示されたシステムとして実行される。先述したように、図４によって説明された実施形態では、セルラー通信は下りリンク状態、つまり、図３に関して説明されたような上りリンクセルラー通信とは異なる下りリンクセルラー通信である。
【００６７】
下りリンクセルラー通信には、上りリンクセルラー通信とは異なるいくつかの側面がある。１つの側面では、ＢＳは、ＵＥサイドからチャネル品質インデックス（ＣＱＩ）を受信した後に、ＭＣＳ情報インデックスを決定して、対応するＤ２Ｄ送信器に知らせ、上りリンクセッションの場合とは異なり、ＵＥからのパイロットシンボルを判断した後に、瞬時に、ＭＣＳ情報を決定する。他の側面では、もし、Ｄ２Ｄ送信器とＵＥとで下りリンクリソースを共有させたければ、Ｄ２Ｄ送信器とＵＥ（ＵＥは下りリンクセルラー通信では犠牲受信器である）との間のパスロスが計算或いは推定される。そのパスロスは、上りリンクセッションの場合とは異なり、Ｄ２Ｄ送信器から、使用されうるＢＳへのパスロスである。
【００６８】
ステップＳ４０１では、ＢＳとＵＥとの間のセルラー通信上のＭＣＳ情報が取得され、このＭＣＳ情報は、ＵＥによってＢＳからの参照信号の受信に応答して計測されたＣＱＩに基づいて、ＢＳによって取得される。
【００６９】
本発明の実施形態によれば、ＢＳは、ＵＥに参照信号（ＲＳｓ、たとえば、ＣＢＳや、ＬＴＥにおけるＤＭ−ＲＳ）を送信する。ＵＥは、受信したＲＳｓを通じてチャネルを測定し、ＣＱＩをＢＳに送り返す。その合間、ＢＳは、下りリンクリソースがＤ２Ｄ装置によって共有されようとするＵＥの位置を推定する。ＢＳは、次の下りリンクセッションのためのＭＣＳ情報（たとえば、ＭＣＳインデックス）を、ＣＱＩのフィードバックを受けることによって決定することができる。
【００７０】
本発明のいくつかの実施形態によれば、ＢＳは、ＵＥにＭＣＳ情報を送信する。Ｄ２Ｄ送信器は、ＢＳからＵＥに送信されたＭＣＳ情報が判るので、ＢＳからＵＥに送信されたＭＣＳ情報を取得することができる。
【００７１】
ＭＣＳ情報は、少なくとも、ＢＳからＵＥに示される変調及び復号化スキームを示すＭＣＳインデックスを含んでいる。ＵＥは、ＭＣＳ情報によって示された復調及び符号化スキームを使用して、セルラー通信、たとえば、ＢＳを含む下りリンクセルラー通信を実行することができる。
【００７２】
ステップＳ４０２では、ＢＳからＵＥへのチャネル情報が、ＭＣＳ情報に基づいて取得される。
【００７３】
本発明の実施形態によれば、Ｄ２Ｄ送信器は、スループット最大化問題を解決することによって、各共有サブバンドにおける、自身の送信出力を決定し、下りリンクセッションの到来に待機することができる。スループット最大化問題を解決するために、Ｄ２Ｄ送信器は、前もって、いくつかのパラメータ、たとえば、ＢＳからＵＥへのチャネル情報、Ｄ２Ｄ送信器からＵＥへのチャネル情報、Ｄ２Ｄ送信器における総出力制限などを取得する。
【００７４】
実施形態によれば、ＢＳからＵＥへのチャネル情報は、ＢＳからＵＥへのチャネルゲイン、長期平均値、チャネル分布などを含む。長期平均値は、チャネルのパスロスに基づいて取得することができ、分布は、たとえば、高速フェージングを表すレイリー分布である。いくつかの実施形態では、参照信号は、ＢＳからＵＥへのチャネルゲインの取得に用いられ、チャネルゲインは、１セットの変調及び符号化スキームに対応した値の範囲内で変化しうる。本発明の実施形態によれば、用いられる変調及び符号化スキームは、ステップＳ４０１において取得できるＭＣＳ情報から決定される。
【００７５】
ステップＳ４０３では、Ｄ２Ｄ送信器からＵＥへのチャネル情報が、Ｄ２Ｄ送信器からＵＥへのパスロスに基づいて取得される。
【００７６】
ＵＥの位置が、ＢＳ（ＵＥに実装されたＧＰＳ装置及び他のＢＳからの助力を伴うＬＴＥ位置特定サービスのいずれか一方）によって取得されたとき、Ｄ２Ｄ送信器は、Ｄ２Ｄ送信器とＵＥとの間の距離を計算する。この距離から、パスロスが、様々なチャネルモデルや、ＵＭａ、ＵＭｉなどの無線通信シナリオを用いて取得される。
【００７７】
本発明の実施形態によれば、Ｄ２Ｄ送信器からＵＥへのパスロスを、Ｄ２Ｄ送信器とＵＥとの間の距離を決定し、Ｄ２Ｄ送信器とＵＥとの間の距離に基づいてＤ２Ｄ送信器からＵＥへのパスロスを計算することによって、取得することができる。本発明の実施形態によれば、Ｄ２Ｄ送信器とＵＥとの間の距離を、いくつかの方法で決定することができる。たとえば、Ｄ２Ｄ送信機は、ＢＳにＵＥの位置を要望し、Ｄ２Ｄ送信器とＵＥとの間の距離を計算することができるし、また、ＵＥと直接通信し、その位置をＵＥに問うこともできる。当業者は、上述の例は、説明のためにのみ用いられており、いくつかの他の方法を、Ｄ２Ｄ送信器からＵＥへのパスロスを取得するのに実行することができるということを理解できるであろう。
【００７８】
ステップＳ４０４では、Ｄ２Ｄ通信とセルラー通信とで共有される少なくとも１つの共有サブバンドのすべてのための出力制限が、ＵＥからＢＳへのチャネル情報と、Ｄ２Ｄ送信器からＵＥへのチャネル情報と、下りリンクの停止確率とに基づいて計算される。
【００７９】
本発明の実施形態によれば、下りリンクの停止確率は、ＢＳで予め決定されうる。たとえば、下りリンクの停止確率は、通信システムのオペレーターや当業者の経験に従って設定されるし、又は、通信システムの具体的な通信状態に従って設定されうる。
【００８０】
実施形態によれば、ＢＳからＵＥへのチャネル情報が”ｇ”として示され、Ｄ２Ｄ送信器からＵＥへのチャネル情報が”ｈＤ，ＵＥ”として示され、下りリンクの停止確率が”εＤＬ”として示されている。たとえば、下りリンクの停止確率εＤＬは、１０％である。本発明の実施形態によれば、出力制限
【数１０】
0005855271.tif 000011
を少なくとも１つの共有サブバンドのすべてのために適用可能な出力に基づいて取得することができる。たとえば、出力制限
【数１１】
0005855271.tif 000012
を適用可能な出力の最大値として設定することができる。本発明の実施形態では、適用可能な出力（ＰＤ，ｌとして示されている）は、次式から計算されうる。
【数１２】
0005855271.tif 000013
ここで、ＰＤ，ｌは、少なくとも１つの共有サブバンドのすべてのために適用可能な出力を表し（たとえば、もし合計でＳ個の共有サブバンドがある場合には、ＰＤ，ｌは、Ｓ個の共有サブバンドのために適用可能な出力を表す）、下付きのｌは、ＭＣＳ情報を基にして取得されたｌ番目の変調及び符号化スキームを表し、下付きのＤは、それがＤ２Ｄ送信器に関連していることを表し、ＰＢＳは、ＢＳの送信出力を表し、Ｎ０は、バックグラウンドノイズであり、Ｉはセル間干渉（ＩＣＩ）を示している。当業者が理解できるように、Ｎ０とＩは、現存する方法に従って取得することができるので、ここでは、関連する詳細については省略する。たとえば、チャネルゲインがレイリー分布に従うものと仮定することによって、ＰＢＳと、Ｎ０とＩの変化とを一定にできる。従って、Ｄ２Ｄ送信器の最大送信出力、つまり、ｌ番目の共有サブバンドのためのＤ２Ｄ送信機の出力制限の明確な形態を解析的に取得することができる。
【００８１】
本発明の実施形態によれば、ＢＳを含むセルラー通信には、いくつかのＵＥがありうる。従って、ＢＳと、互いに異なるＵＥとの間には、いくつかの下りリンクセッションがありうる。ｎ番目のＵＥに関し、式（５）で表される”ｇ”は、ＢＳからｎ番目のＵＥへのチャネル情報を表す。実施形態では、説明を容易にするために、単にｎ番目のＵＥを例として用いており、ラベル”ｎ”は、式（５）には表れていない。当業者であれば、ＢＳを含む上りリンクセルラー通信にいくつかのＵＥがある場合に、本発明に係る方法も適用可能であることを理解することができるであろう。
【００８２】
ステップＳ４０５では、Ｄ２Ｄ送信器における総出力制限が取得される。
【００８３】
本発明の実施形態によれば、Ｄ２Ｄ送信器における総出力制限を、その生産者、オペレーター、売買人などが予め定めることができる。代わりに、Ｄ２Ｄ送信器における総出力制限を、それが適用される通信システムの特定の状態に従って、固定値として設定することができる。
【００８４】
このステップは、ステップＳ３０５と類似しており、ステップＳ３０５で説明された詳細のすべてを、ステップＳ４０５に適用することができる。
【００８５】
ステップＳ４０６では、Ｄ２Ｄ受信器が受ける干渉が取得される。
【００８６】
本発明の実施形態によれば、Ｄ２Ｄ受信器が受ける干渉を、Ｄ２Ｄ受信器への長期間の干渉或いは瞬間的な干渉を取得することによって取得することができる。
【００８７】
このステップは、ステップＳ３０６と類似しており、ステップＳ３０６で説明された詳細のすべてを、ステップＳ４０６に適用することができる。
【００８８】
ステップＳ４０７では、取得された干渉に基づいて、送信速度が、少なくとも１つの共有サブバンド毎に計算される。本発明の実施形態によれば、共有サブバンドのための送信速度を、いくつかの方法で計算することができる。たとえば、Ｄ２Ｄ送信器とＵＥとの間で共有されるＳ個のサブバンドがあると仮定すると、Ｓ番目のサブバンドのための送信速度を、式（２）及び（３）によって取得することができる。
【００８９】
ステップＳ４０８では、少なくとも１つの共有サブバンド毎にサブバンド送信出力を、計算された送信速度の合計を、各サブバンド送信出力が、対応するサブバンドの出力制限を超えず、且つ、サブバンド送信出力の合計が、総出力制限を超えないように最大化することによって取得する。
【００９０】
本発明の実施形態によれば、少なくとも１つの共有サブバンドの各々のためのサブバンド送信出力は、上述したように、ｌ番目の変調及び符号化スキームに応じたＳ番目のサブバンドのためのサブバンド送信出力を表すＰＤ，ｌ（ｓ），ｓとして示されている。実施形態では、ＰＤ，ｌ（ｓ），ｓを、計算された送信速度の合計を最大化し、同時に、各サブバンド送信出力が対応するサブバンドのための出力制限を超えず、且つ、サブバンド送信出力の合計が、総出力制限を超えないという要請を満たすことによって取得することができる。特に、ＰＤ，ｌ（ｓ），ｓは、式（４）を解くことによって取得することができる。
【００９１】
少なくとも１つの共有サブバンドの各々のためのサブバンド送信出力を取得した後には、それに応じて、Ｄ２Ｄ送信器によって使用される送信出力が決定される。
【００９２】
当業者は、チャネル情報を、この技術分野で知られたいくつかの方法によって取得することができることを、すぐに、理解できるであろう。
【００９３】
次に、本発明の実施形態に係る通信システムにおいてＤ２Ｄ通信を実行するための装置５００のブロック図を表した図５が参照される。本発明の実施形態によれば、通信システムは、少なくとも、ＢＳと、ＢＳとセルラー通信するＵＥとを備えており、Ｄ２Ｄ通信は、Ｄ２Ｄ送信器とＤ２Ｄ受信器との間で実行され、セルラー通信に干渉する。本発明の実施形態によれば、通信システムは、図１Ａ或いは図１Ｂで表されたシステムとして実行される。装置５００は、Ｄ２Ｄ受信器、或いは、装置５００を実行するのに適切な他の場所で実行される。
【００９４】
本発明の実施形態によれば、装置５００は、ＢＳとＵＥとの間のセルラー通信上の変調及び符号化スキーム（ＭＣＳ）情報を取得するよう構成された取得ユニット５１０と、Ｄ２Ｄ通信からセルラー通信への干渉を低減することができるように、ＭＣＳ情報に基づいて、Ｄ２Ｄ通信のための送信出力を決定するように構成された決定ユニット５２０とを備える。
【００９５】
本発明の実施形態によれば、セルラー通信は上りリンク状態となることができ、取得ユニット５１０は、ＢＳによってＵＥに示され、ＢＳからＵＥに送信されたＭＣＳ情報を取得するよう構成された手段を備える。
【００９６】
本発明の実施形態によれば、セルラー通信は下りリンク状態となることができ、取得ユニット５１０は、ＢＳからＵＥへ送信されるＭＣＳ情報を取得するよう構成された手段を備え、ＭＣＳ情報は、ＢＳからの参照信号の受信に応答してＵＥによって測定されたＣＱＩに基づいて、ＢＳによって決定される。
【００９７】
本発明の実施形態によれば、決定ユニット５２０は、Ｄ２Ｄ通信とセルラー通信とで共有される少なくとも１つの共有サブバンドのすべてのための出力制限をＭＣＳ情報に基づいて取得するよう構成された取得手段と、出力制限に基づいてＤ２Ｄ通信のための送信出力を決定するように構成された決定手段と、を備える。
【００９８】
本発明の実施形態によれば、セルラー通信は上りリンク状態となることができ、取得手段は、ＭＣＳ情報に基づいてＵＥからＢＳへのチャネル情報を取得するよう構成された手段と、Ｄ２Ｄ送信器からＢＳへのパスロスに基づいて、Ｄ２Ｄ送信器からＢＳへのチャネル情報を取得するよう構成された手段と、少なくとも１つの共有サブバンドのすべてのための出力制限を、ＵＥからＢＳへのチャネル情報と、Ｄ２Ｄ送信器からＢＳへのチャネル情報と、上りリンクの停止確率とに基づいて計算するように構成された手段と、を備える。
【００９９】
本発明の実施形態によれば、Ｄ２Ｄ送信器からＢＳへのパスロスに基づいてＤ２Ｄ送信器からＢＳへのチャネル情報を取得するよう構成された手段は、ＢＳからＤ２Ｄ送信器へのパスロスを、ＢＳから送信された参照信号に基づいて計算するように構成された手段と、Ｄ２Ｄ送信器からＢＳへのパスロスを、チャネルの相反性と、ＢＳからＤ２Ｄ送信機へのパスロスとに基づいて取得するよう構成された手段と、を備える。
【０１００】
本発明の実施形態によれば、セルラー通信は下りリンク状態となることができ、取得手段は、ＭＣＳ情報に基づいてＢＳからＵＥへのチャネル情報を取得するよう構成された手段と、Ｄ２Ｄ送信器からＵＥへのパスロスに基づいてＤ２Ｄ送信器からＵＥへのチャネル情報を取得するよう構成された手段と、少なくとも１つの共有サブバンドのすべてのための出力制限を、ＵＥからＢＳへのチャネル情報と、Ｄ２Ｄ送信器からＵＥへのチャネル情報と、下りリンクの停止確率とに基づいて計算するように構成された手段と、を備える。
【０１０１】
本発明の実施形態によれば、Ｄ２Ｄ送信器からＵＥへのチャネル情報を、Ｄ２Ｄ送信器からＵＥへのパスロスに基づいて取得するよう構成された手段は、Ｄ２Ｄ送信器とＵＥとの間の距離を決定するように構成された手段と、Ｄ２Ｄ送信器からＵＥへのパスロスをＤ２Ｄ送信器とＵＥとの間の距離に基づいて計算するように構成された手段と、を備える。
【０１０２】
本発明の実施形態によれば、決定手段は、Ｄ２Ｄ送信器における総出力制限を取得するよう構成された手段と、Ｄ２Ｄ通信のための送信出力を、少なくとも１つの共有サブバンドのすべてのための出力制限と、総出力制限とに基づいて決定するように構成された手段と、を備える。
【０１０３】
本発明の実施形態によれば、Ｄ２Ｄ通信のための送信出力を、少なくとも１つの共有サブバンドのすべてのための出力制限と、総出力制限とに基づいて決定するように構成された手段は、Ｄ２Ｄ受信器が受ける干渉を取得するよう構成された手段と、取得された干渉に基づいて、少なくとも１つの共有サブバンド毎に送信速度を計算するように構成された手段と、各サブバンド送信出力が対応するサブバンドの出力制限を超えず、サブバンド送信出力の合計が総出力制限を超えないように、計算された送信速度の合計を最大化することによって、少なくとも１つの共有サブバンド毎にサブバンド送信出力を取得するよう構成された手段と、を備える。
【０１０４】
本発明の実施形態によれば、Ｄ２Ｄ受信器が受ける干渉を取得するよう構成された手段は、Ｄ２Ｄ受信器への長期間の干渉を取得するよう構成された手段を備えており、長期間の干渉は、Ｄ２Ｄ受信機における過去の干渉に基づいて推定されるか、又は所定値として設定される。
【０１０５】
本発明の実施形態によれば、Ｄ２Ｄ受信器が受ける干渉を取得するよう構成された手段は、Ｄ２Ｄ受信器への瞬間的な干渉を取得するよう構成された手段を備えており、瞬間的な干渉は、ＵＥとＤ２Ｄ送信器とで共有される少なくとも１つの共有サブバンド毎にＤ２Ｄ受信器によって測定される。
【０１０６】
装置５００は、図２〜４を参照しながら説明されたような機能性を実現するよう構成されうることに注意すべきである。従って、方法２００、３００、及び４００のいずれかに関して説明された特徴を、装置５００の対応する構成要素に適用することができる。さらに、装置５００の構成要素を、ハードウェア、ソフトウェア、ファームウェア、及び／又は、それらのいずれかの組み合わせで具現化することができることにも注意すべきである。たとえば、装置５００の構成要素は、各々、回路、プロセッサ、或いは、他の適切な装置によって実現できる。当業者は、上述の例は説明のために用いられたものに過ぎず、上述の例には限定されないことを理解することができるであろう。
【０１０７】
本開示に係るいくつかの実施形態では、装置５００は、少なくとも１つのプロセッサを備える。本開示に係る実施形態での使用に適した少なくとも１つのプロセッサは、例として、すでに周知の、或いは、将来開発される、汎用的、及び、専用のプロセッサを含むことができる。装置５００は、さらに、少なくとも１つのメモリーを備える。少なくとも１つのメモリーは、たとえば、ＲＡＭ、ＲＯＭ、ＥＰＲＯＭ、ＥＥＰＲＯＭ、フラッシュメモリー装置などといった、半導体メモリー装置を含むことができる。少なくとも１つのメモリーは、コンピュータが実行可能な指令のプログラムを記憶するために用いられる。プログラムを、ハイレベル及び／又はローレベルのコンパイル或いはインタープリト可能なプログラミング言語で記述することができる。本実施形態を踏まえ、コンピュータが実行可能な指令は、少なくとも１つのプロセッサによって、装置５００が、少なくとも、上述したように、方法２００、３００、及び４００のいずれかに従って、動作を実行することができるように構成されうる。
【０１０８】
上述に基づいて、当業者は、本開示が、装置、方法、或いは、コンピュータプログラム製品で実現化しうることを理解するであろう。一般的には、様々な例示的実施形態を、ハードウェアや専用回路、ソフトウェア、論理やそれらのなんらかの組み合わせで実行することができる。たとえば、ある面は、ハードウェアで実現され、他の側面は、コントローラ、マイクロプロセッサ、或いは、他のコンピュータ装置で実現されるが、本開示はこれには限定されない。本開示の例示的な実施形態の様々な面が、ブロック図、フローチャートとして、或いは、いくつかの他の図表を用いて図示及び説明されることができる一方、ここに示された、これらのブロック、装置、システム、技術、或いは、方法は、非限定例として、ハードウェア、ソフトウェア、ファームウェア、特殊用途の回路や論理、汎用目的のハードウェア、コントローラ、他のコンピューティングデバイス、或いはそれらのいくつかの組み合わせで実行可能である。
【０１０９】
図２〜４に示された様々なブロックは、方法のステップ、及び／又は、コンピュータプログラムコードの処理に起因する処理、及び／又は、関連した機能を実行するように構成された、複数の結合論理回路素子とみなすことができる。少なくとも、本開示に係る代表的な実施形態のいくつかの側面は、集積回路チップやモジュールといった様々な要素で実施され、本開示における代表的な実施形態は、本開示の代表的な実施形態に従って処理するように構成された集積回路、ＦＰＧＡ、或いはＡＳＩＣとして実現された装置で実現される。
【０１１０】
この明細書は多くの特有の実施細目を含んでいるが、これらは、なんらかの開示或いはクレームしうる事項の範囲を制限するものとして解釈されるべきではなく、むしろ、個々の開示の個々の実施形態に特有の特徴の説明として解釈すべきである。個々の実施形態の文脈におけるこの明細書で説明されているある特徴を、１つの実施形態において、組み合わせた形で実行することもできる。反対に、１つの実施形態の文脈で説明された様々な特徴を、個々に、多数の実施形態で、或いは、適切な部分的組み合わせで実行することもできる。さらに、特徴は、ある組み合わせ及び最初にクレームされた事項の均等の範囲で実行されているものとして上述されているが、クレームされた組み合わせから見いだされる１以上の特徴は、いくつかの場合には、組み合わせから削除され、クレームされた組み合わせは、部分的組み合わせ、或いは、部分的組み合わせのバリエーションに向けられる。
【０１１１】
同様に、処理が特定の順序で図示されているが、所望の結果を達成するためには、示された特別な順序或いは連続的な順序で実行され、或いは、すべての図示された処理が実行されることを要求しているものと理解すべきではない。ある環境においては、マルチタスクや並行処理が便利であるかもしれない。さらに、上述された実施形態における様々なシステム要素の分離については、すべての実施形態においてこのような分離が必要であると理解すべきではなく、記述されたプログラム要素とシステムとは、一般的には、単一のソフトウェア製品にともに組み込まれるか、或いは、多数のソフトウェア製品にパッケージされることが可能であることを理解すべきである。
【０１１２】
様々な変形例、本開示に係る先述した例示的な実施形態への適用は、添付図面とともに読まれたとき、先述した説明を考慮して、当業者にとって明らかでありうる。なんらかの、そして、ありとあらゆる変形例が、なお、本開示における非限定的且つ例示的な実施形態の範囲に入るであろう。さらに、ここで明らかにされた、開示に係る他の実施形態は、先述の説明と関連図面で表された教示の利点を持つので、これらの実施形態が属する技術分野の当業者に記憶されている。
【０１１３】
従って、本開示に係る実施形態は、開示された特定の実施形態には限定されず、変形例や他の実施形態が、添付クレームの範囲内に含まれていることを意図されていることに注意すべきである。ここでは、特別な用語が使用されてはいるが、これらは、限定目的ではなく、一般的且つ記述された意味でのみ使用されている。
【０１１４】
（付記１）
通信システムでＤ２Ｄ（装置対装置；Device-to-Device）通信を実行するための方法であって、前記通信システムは、少なくとも、基地局（ＢＳ）と、前記基地局（ＢＳ）とセルラー通信するユーザー側装置（ＵＥ）と、を備えており、前記Ｄ２Ｄ通信は、Ｄ２Ｄ送信器とＤ２Ｄ受信器との間で実行され、前記セルラー通信に干渉する方法であって、
前記ＢＳと前記ＵＥとの間の前記セルラー通信上の変調及び符号化スキーム（ＭＣＳ）情報を取得することと、
前記Ｄ２Ｄ通信から前記セルラー通信への干渉を低減するように、前記ＭＣＳ情報に基づいて、前記Ｄ２Ｄ通信のための送信出力を決定することと、を含む
方法。
【０１１５】
（付記２）
前記セルラー通信は上りリンク状態にあり、
前記ＢＳと前記ＵＥとの間の前記セルラー通信上の前記ＭＣＳ情報を取得することは、前記ＢＳから前記ＵＥへ送信される前記ＭＣＳ情報を取得することを含んでおり、
前記ＭＣＳ情報は、前記ＢＳから前記ＵＥに示される
付記１に記載の方法。
【０１１６】
（付記３）
前記セルラー通信は下りリンク状態にあり、
前記ＢＳと前記ＵＥとの間の前記セルラー通信上の前記ＭＣＳ情報を取得することは、前記ＢＳから前記ＵＥへ送信される前記ＭＣＳ情報を取得することを含んでおり、
前記ＭＣＳ情報は、前記ＢＳからの参照信号の受信に応答して、前記ＵＥによって測定されたＣＱＩに基づいて、前記ＢＳによって決定される
付記１に記載の方法。
【０１１７】
（付記４）
前記ＭＣＳ情報に基づいて、前記Ｄ２Ｄ通信のための送信出力を決定することは、
前記Ｄ２Ｄ通信と前記セルラー通信とで共有される少なくとも１つの共有サブバンドのすべてのための出力制限を、前記ＭＣＳ情報に基づいて取得することと、
前記出力制限に基づいて前記Ｄ２Ｄ通信のための送信出力を決定することと、を含む
付記１に記載の方法。
【０１１８】
（付記５）
前記セルラー通信は、上りリンク状態にあり、
前記Ｄ２Ｄ通信と前記セルラー通信とで共有される少なくとも１つの共有サブバンドのすべてのための出力制限を、前記ＭＣＳ情報に基づいて取得することは、
前記ＭＣＳ情報に基づいて前記ＵＥから前記ＢＳへのチャネル情報を取得することと、
前記Ｄ２Ｄ送信器から前記ＢＳへのパスロスに基づいて前記Ｄ２Ｄ送信器から前記ＢＳへのチャネル情報を取得することと、
少なくとも１つの共有サブバンドのすべてのための前記出力制限を、前記ＵＥから前記ＢＳへのチャネル情報と、前記Ｄ２Ｄ送信器から前記ＢＳへのチャネル情報と、前記上りリンクの停止確率とに基づいて計算することと、を含む
付記４に記載の方法。
【０１１９】
（付記６）
前記Ｄ２Ｄ送信器から前記ＢＳへのパスロスに基づいて前記Ｄ２Ｄ送信器から前記ＢＳへのチャネル情報を取得することは、
前記ＢＳから送信された参照信号に基づいて前記ＢＳから前記Ｄ２Ｄ送信器への前記パスロスを計算することと、
チャネルの相反性と、前記ＢＳから前記Ｄ２Ｄ送信器への前記パスロスとに基づいて前記Ｄ２Ｄ送信器から前記ＢＳへの前記パスロスを取得することと、を含む
付記５に記載の方法。
【０１２０】
（付記７）
前記セルラー通信は、下りリンク状態にあり、
前記Ｄ２Ｄ通信と前記セルラー通信とで共有される少なくとも１つの共有サブバンドのすべてのための出力制限を、前記ＭＣＳ情報に基づいて取得することは、
前記ＭＣＳ情報に基づいて前記ＢＳから前記ＵＥへのチャネル情報を取得することと、
前記Ｄ２Ｄ送信器から前記ＵＥへのパスロスに基づいて前記Ｄ２Ｄ送信器から前記ＵＥへのチャネル情報を取得することと、
前記少なくとも１つの共有サブバンドのすべてのための前記出力制限を、前記ＵＥから前記ＢＳへの前記チャネル情報と、前記Ｄ２Ｄ送信器から前記ＵＥへの前記チャネル情報と、前記下りリンクの停止確率とに基づいて計算することと、を含む
付記４に記載の方法。
【０１２１】
（付記８）
前記Ｄ２Ｄ送信器から前記ＵＥへのパスロスに基づいて前記Ｄ２Ｄ送信器から前記ＵＥへのチャネル情報を取得することは、
前記Ｄ２Ｄ送信器と前記ＵＥとの間の距離を決定することと、
前記Ｄ２Ｄ送信器と前記ＵＥとの間の前記距離に基づいて前記Ｄ２Ｄ送信器から前記ＵＥへの前記パスロスを計算することと、を含む
付記７に記載の方法。
【０１２２】
（付記９）
前記出力制限に基づいて前記Ｄ２Ｄ通信のための前記送信出力を決定することは、
前記Ｄ２Ｄ送信器における前記総出力制限を取得することと、
前記Ｄ２Ｄ通信のための前記送信出力を、前記少なくとも１つの共有サブバンドのすべてのための前記出力制限と、前記総出力制限とに基づいて決定することと、を含む
付記４に記載の方法。
【０１２３】
（付記１０）
前記Ｄ２Ｄ通信のための前記送信出力を、前記少なくとも１つの共有サブバンドのすべてのための前記出力制限と、前記総出力制限とに基づいて決定することは、
前記Ｄ２Ｄ受信器が受ける干渉を取得することと、
前記取得された干渉に基づいて、前記少なくとも１つの共有サブバンド毎に送信速度を計算することと、
各サブバンド送信出力が、対応するサブバンドのための出力制限を超えず、且つ、サブバンド送信出力の合計が前記総出力制限を超えないように、前記計算された送信速度の合計を最大化することによって、前記少なくとも１つの共有サブバンド毎にサブバンド送信出力を取得することと、を含む
付記９に記載の方法。
【０１２４】
（付記１１）
前記Ｄ２Ｄ受信器がうける干渉を取得することは、前記Ｄ２Ｄ受信器への長期間の干渉を取得することを含んでおり、
前記長期間の干渉は、前記Ｄ２Ｄ受信機における過去の干渉に基づいて推定されるか、または所定値として設定される
付記１０に記載の方法。
【０１２５】
（付記１２）
前記Ｄ２Ｄ受信器が受ける干渉を取得することは、前記Ｄ２Ｄ受信器への瞬間的な干渉を取得することを含んでおり、
前記瞬間的な干渉は、前記ＵＥと前記Ｄ２Ｄ受信器とで共有される前記少なくとも１つの共有サブバンド毎に、前記Ｄ２Ｄ受信器によって測定される
付記１０に記載の方法。
【０１２６】
（付記１３）
通信システムでＤ２Ｄ（装置対装置；Device-to-Device）通信を実行し、前記通信システムは、少なくとも、基地局（ＢＳ）と、前記基地局（ＢＳ）とセルラー通信するユーザー側装置（ＵＥ）と、を備えており、前記Ｄ２Ｄ通信は、Ｄ２Ｄ送信器とＤ２Ｄ受信器との間で実行され、前記セルラー通信に干渉する装置であって、
前記ＢＳと前記ＵＥとの間の前記セルラー通信上の変調及び符号化スキーム（ＭＣＳ）情報を取得するよう構成された取得ユニットと、
前記Ｄ２Ｄ通信から前記セルラー通信への干渉を低減するように、前記Ｄ２Ｄ通信のための送信出力を、前記ＭＣＳ情報に基づいて決定するように構成された決定ユニットと、を備える
装置。
【０１２７】
（付記１４）
前記セルラー通信は、上りリンク状態にあり、
前記取得ユニットは、前記ＢＳから前記ＵＥに送信された前記ＭＣＳ情報を取得するよう構成された手段を備えており、
前記ＭＣＳ情報は、前記ＢＳによって前記ＵＥに示される
付記１３に記載の装置。
【０１２８】
（付記１５）
前記セルラー通信は、下りリンク状態にあり、
前記取得ユニットは、前記ＢＳから前記ＵＥに送信される前記ＭＣＳ情報を取得するよう構成された手段を備えており、
前記ＭＣＳ情報は、前記ＵＥによって前記ＢＳからの参照信号の受信に応答して測定されたＣＱＩに基づいて、前記ＢＳによって決定される
付記１３に記載の装置。
【０１２９】
（付記１６）
前記決定ユニットは、
前記Ｄ２Ｄ通信と前記セルラー通信とで共有される少なくとも１つの共有サブバンドのすべてのための出力制限を、前記ＭＣＳ情報に基づいて取得するよう構成された取得手段と、
前記出力制限に基づいて前記Ｄ２Ｄ通信のための前記送信出力を決定するよう構成された決定手段と、を備える
付記１３に記載の装置。
【０１３０】
（付記１７）
前記セルラー通信は、上りリンク状態にあり、
前記取得手段は、
前記ＭＣＳ情報に基づいて前記ＵＥから前記ＢＳへの前記チャネル情報を取得するよう構成された手段と、
前記Ｄ２Ｄ送信器から前記ＢＳへのパスロスに基づいて前記Ｄ２Ｄ送信器から前記ＢＳへのチャネル情報を取得するよう構成された手段と、
前記少なくとも１つの共有サブバンドのすべてのための前記出力制限を、前記ＵＥから前記ＢＳへの前記チャネル情報と、前記Ｄ２Ｄ送信器から前記ＢＳへの前記チャネル情報と、前記上りリンクの停止確率とに基づいて計算するよう構成された手段と、を備える
付記１６に記載の装置。
【０１３１】
（付記１８）
前記Ｄ２Ｄ送信器から前記ＢＳへのパスロスに基づいて前記Ｄ２Ｄ送信器から前記ＢＳへのチャネル情報を取得するよう構成された手段は、
前記ＢＳから送信された参照信号に基づいて前記ＢＳから前記Ｄ２Ｄ送信器への前記パスロスを計算するよう構成された手段と、
前記Ｄ２Ｄ送信器から前記ＢＳへの前記パスロスを、チャネルの相反性と、前記ＢＳから前記Ｄ２Ｄ送信器への前記パスロスとに基づいて取得するよう構成された手段と、を備える
付記１７に記載の装置。
【０１３２】
（付記１９）
前記セルラー通信は、下りリンク状態にあり、
前記取得手段は、
前記ＭＣＳ情報に基づいて前記ＢＳから前記ＵＥへの前記チャネル情報を取得するよう構成された手段と、
前記Ｄ２Ｄ送信器から前記ＵＥへのパスロスに基づいて前記Ｄ２Ｄ送信器から前記ＵＥへのチャネル情報を取得するよう構成された手段と、
前記少なくとも１つの共有サブバンドのすべてのための前記出力制限を、前記ＵＥから前記ＢＳへの前記チャネル情報と、前記Ｄ２Ｄ送信器から前記ＵＥへの前記チャネル情報と、前記下りリンクの停止確率とに基づいて計算するよう構成された手段と、を備える
付記１６に記載の装置。
【０１３３】
（付記２０）
前記Ｄ２Ｄ送信器から前記ＵＥへのパスロスに基づいて前記Ｄ２Ｄ送信器から前記ＵＥへのチャネル情報を取得するよう構成された手段は、
前記Ｄ２Ｄ送信器と前記ＵＥとの間の距離を決定するよう構成された手段と、
前記Ｄ２Ｄ送信器と前記ＵＥとの間の距離に基づいて前記Ｄ２Ｄ送信器から前記ＵＥへの前記パスロスを計算するよう構成された手段と、を備える
付記１９に記載の装置。
【０１３４】
（付記２１）
前記決定手段は、
前記Ｄ２Ｄ送信器における前記総出力制限を取得するよう構成された手段と、
前記Ｄ２Ｄ通信のための前記送信出力を、前記少なくとも１つの共有サブバンドのすべてのための前記出力制限と、前記総出力制限とに基づいて決定するよう構成された手段と、を備える
付記１６に記載の装置。
【０１３５】
（付記２２）
前記Ｄ２Ｄ通信のための前記送信出力を、前記少なくとも１つの共有サブバンドのすべてのための前記出力制限と、前記総出力制限とに基づいて決定するよう構成された手段は、
前記Ｄ２Ｄ受信器が受ける干渉を取得するよう構成された手段と、
前記取得された干渉に基づいて、前記少なくとも１つの共有サブバンド毎にサブバンド送信速度を取得するよう構成された手段と、
各サブバンド送信出力が、対応するサブバンドのための出力制限を超えず、且つ、サブバンド送信出力の合計が前記総出力制限を超えないように、前記計算された送信速度の合計を最大化することによって、前記少なくとも１つの共有サブバンド毎にサブバンド送信出力を取得するよう構成された手段と、を備える
付記２１に記載の装置。
【０１３６】
（付記２３）
前記Ｄ２Ｄ受信器が受ける干渉を取得するよう構成された手段は、
前記Ｄ２Ｄ受信器への長期間の干渉を取得するよう構成された手段を備えており、
前記長期間の干渉は、前記Ｄ２Ｄ受信機における過去の干渉に基づいて推定されるか、又は所定値として設定される
付記２２に記載の装置。
【０１３７】
（付記２４）
前記Ｄ２Ｄ受信器が受ける干渉を取得するよう構成された手段は、
前記Ｄ２Ｄ受信器への瞬間的な干渉を取得するよう構成された手段を備えており、
前記瞬間的な干渉は、前記Ｄ２Ｄ受信器によって、前記ＵＥと前記Ｄ２Ｄ受信器とによって共有される少なくとも１つの共有サブバンド毎に測定される
付記２２に記載の装置。
【図１Ａ】
0005855271.tif 000014
【図１Ｂ】
0005855271.tif 000015
【図２】
0005855271.tif 000016
【図３】
0005855271.tif 000017
【図４】
0005855271.tif 000018
【図５】
0005855271.tif 000019